(57)【要約】【課題】さつま差しされたストランドがさつま差し部から抜け出るのを防止することができるようにした繊維ロープを提供することである。【解決手段】複数のストランド３の撚り合わせから成るロープ本体２の端末部を折り返し、解きほぐされたストランド３のさつま差しによりフック２０が接続されるループ４と、さつま差し部５とを形成する。さつま差しされたストランド３の端末部にスリーブ６を嵌合し、ストランド３のスリーブ６から突出する端末の加熱溶融によりスリーブ６を抜け止めする溶融結束部７を形成し、スリーブ６の端部に対する溶融結束部７の係合によってストランド３を抜け止めする。【選択図】図１
2006336156.tif 000002
【特許請求の範囲】
【請求項１】
複数のストランドの撚り合わせから成るロープ本体の端末部を折り返し、その端末部の解きほぐされた複数のストランドのさつま差しによるさつま差し部の形成によってループを形成した繊維ロープにおいて、前記さつま差しされた各ストランドの端末部にスリーブを嵌合し、各ストランドの前記スリーブから突出する端末の加熱溶融によってスリーブの内径より大径の溶融結束部を設けたことを特徴とする繊維ロープ。
【請求項２】
前記スリーブが、各ストランドのさつま差し後に切断除去される円錐部を先端に有し、その円錐部の大径端部に周溝から成るカット部が設けられた請求項１に記載の繊維ロープ。
【請求項３】
複数のストランドの撚り合わせから成るロープ本体の端末部を折り返し、その端末部の解きほぐされた複数のストランドのさつま差しによるさつま差し部の形成によってループを形成した繊維ロープにおいて、ロープ挿通孔を中心に有するリング状の結束具をロープ本体に嵌合し、その結束具のロープ挿通孔の周りにストランドと同数のストランド挿通孔を設け、各ストランド挿通孔に前記さつま差しされた各ストランドの端末部を挿通し、ストランド挿通孔から突出するストランドの端末の加熱溶融によってストランド挿通孔の内径より大径の溶融結束部を設けたことを特徴とする繊維ロープ。
【発明の詳細な説明】
【技術分野】
【０００１】
この発明は、端末部にループを有する繊維ロープに関するものである。
【背景技術】
【０００２】
一般に、高所で作業を行なう場合、安全帯ランヤードが用いられる。この安全帯ランヤード３０は、図６に示すように、ループ付きの繊維ロープ３１と、その繊維ロープ３１の端末のループ３２に接続されたフック３３とから成り、体をあずけて使用するＵ字つり用ランヤードと、墜落防止だけを目的とする一本つり用ランヤードに分類される。
【０００３】
ここで、繊維ロープ３１は、撚り合わされた複数のストランド３５から成るロープ本体３４の端末部を折り返し、その折り返された端末部の複数のストランド３５の撚りを解きほぐし、各ストランド３５のさつま差しによりさつま差し部３６を形成すると共にループ３２を形成している。また、さつま差しされたストランド３５の端末に焼き止めと称される溶融結束部３７を形成して各ストランド３５を形成する複数のヤーンの撚りが解きほぐされるのを防止している。
【０００４】
上記のようなＵ字つり用安全帯ランヤード３０では、図７に示すように、パイプ等の構造物Ａにかけ回され、その両端部が作業者Ｍの腰部に締付けられた安全帯４０に接続され、作業者Ｍは上記Ｕ字つり用安全帯ランヤード３０に体重をあずける状態で作業を行なう場合が多い。
【発明の開示】
【発明が解決しようとする課題】
【０００５】
ところで、Ｕ字つり用安全帯ランヤード３０を用いる高所作業では、繊維ロープ３１の端末のさつま差し部３６が構造物Ａに接触する状態で作業される場合がある。このとき、作業者Ｍの作業姿勢が頻繁に変更されると、さつま差し部３６が構築物Ａとの接触部でずれ動き、そのずれ動きによりさつま差し部３６のさつま差しされたストランド３５に引張り力が繰り返し負荷されてさつま差し部３６から抜け出す場合があった。
【０００６】
ここで、複数のストランド３５のうち、１本のストランド３５がさつま差し部３６から抜け出すと、さつま差し部３６に弛みが生じ、このとき、万一作業者が落下してＵ字つり用安全帯ランヤード３０に作業者を受け止める墜落防止時の衝撃的な引張り荷重が負荷されると、さつま差しされた残りのストランド３５もさつま差し部３６から抜け出して、さつま差し部３６が解け、Ｕ字つり用安全帯ランヤード３０は、本来の墜落防止としての機能を発揮しなくなるという問題が発生する。
【０００７】
この発明の課題は、さつま差しされたストランドがさつま差し部から抜け出すのを防止することができるようにした繊維ロープを提供することである。
【課題を解決するための手段】
【０００８】
上記の課題を解決するために、第１の発明においては、複数のストランドの撚り合わせから成るロープ本体の端末部を折り返し、その端末部の解きほぐされた複数のストランドのさつま差しによるさつま差し部の形成によってループを形成した繊維ロープにおいて、前記さつま差しされた各ストランドの端末部にスリーブを嵌合し、各ストランドの前記スリーブから突出する端末の加熱溶融によってスリーブの内径より大径の溶融結束部を設けた構成を採用したのである。
【０００９】
ここで、スリーブとして、各ストランドのさつま差し後に切断除去される円錐部を先端に有し、その円錐部の大径端部に周溝から成るカット部が設けられたものを採用することにより、解きほぐされたストランドの端末にスリーブを嵌合することにより、上記スリーブは円錐部を先端に有するため、ストランドの撚り合わせ間にスムーズに差し込むことができ、ストランドのさつま差しを容易に行なうことができる。
【００１０】
ストランドのさつま差し後は、カット部からの切断によって円錐部を除去し、ストランドのスリーブ先端から突出する部分の加熱溶融によってスリーブ抜け止め用の溶融結束部を形成する。
【００１１】
上記スリーブの材質は任意であり、合成樹脂製とすると、金型成形することができるため、コストの低減を図ることができる。
【００１２】
また、第２の発明においては、複数のストランドの撚り合わせから成るロープ本体の端末部を折り返し、その端末部の解きほぐされた複数のストランドのさつま差しによるさつま差し部の形成によってループを形成した繊維ロープにおいて、ロープ挿通孔を中心に有するリング状の結束具をロープ本体に嵌合し、その結束具のロープ挿通孔の周りにストランドと同数のストランド挿通孔を設け、各ストランド挿通孔に前記さつま差しされた各ストランドの端末部を挿通し、ストランド挿通孔から突出するストランドの端末の加熱溶融によってストランド挿通孔の内径より大径の溶融結束部を設けた構成を採用したのである。
【発明の効果】
【００１３】
第１の発明のように、さつま差しされたストランドの端末部にスリーブを嵌合して、ストランドの端末にスリーブ抜け止め用の溶融結束部を設けたことにより、さつま差し部が構造物に接触する状態で、そのさつま差し部に引張り荷重が繰り返し負荷されると、スリーブがさつま差し部のストランドと係合して抜け止めされ、その抜け止め状態のスリーブに対する溶融結束部の係合によってストランドの端末部は抜け止めされることになる。このため、ストランドがさつま差し部から抜け出るという不都合の発生はなく、複数のストランドを撚り合わせ状態に確実に保持し、墜落防止としての機能を常に確保し、安全性に優れた繊維ロープを得ることができる。
【００１４】
第２の発明のように、ロープ本体に嵌合した結束具のストランド挿通孔にストランドを挿通し、そのストランドの端末の加熱溶融によってストランド挿通孔の内径より大径の溶融結束部を設けたことにより、第１の発明と同様に、さつま差し部が折れ曲がる状態でさつま差しされたストランドに引張り荷重が繰り返し負荷されると、端末の溶融結束部が結束具のストランド挿通孔の開口縁に係合することになる。このため、さつま差しされたストランドがさつま差し部から抜け出すことはなく、複数のストランドは撚り合わせた状態に確実に保持され、安全性に優れた繊維ロープを得ることができる。
【発明を実施するための最良の形態】
【００１５】
以下、この発明の実施の形態を図１乃至図５に基づいて説明する。図１および図２は、安全帯ランヤードを示す。この安全帯ランヤードは、この発明に係る繊維ロープ１と、その繊維ロープ１の端末に接続されたフック２０とから成る。
【００１６】
繊維ロープ１は、複数のストランド３の撚り合わせから成るロープ本体２を有し、そのロープ本体２の端末部は折り返され、その端末部の解きほぐされた複数のストランド３のさつま差しによってフック２０の接続用のループ４と、さつま差し部５とが設けられている。
【００１７】
さつま差し部５を形成する複数のストランド３の端末部には合成樹脂から成るスリーブ６が嵌合され、各ストランド３の上記スリーブ６の先端から外部に臨む端末は、加熱溶融によって溶融結束部７が設けられている。
【００１８】
溶融結束部７は、ストランド３を形成する複数のヤーンを結束してヤーンが解きほぐされるのを防止している。また、溶融結束部７はスリーブ６の内径より大径とされてスリーブ６を抜け止めしている。
【００１９】
実施の形態で示す安全帯ランヤードは上記の構造から成り、その安全帯ランヤードは、図７に示す場合と同様に、構造物Ａにかけ回されるＵ字吊り状態での使用によって作業者の安全性を確保する。
【００２０】
上記のような使用状態において、さつま差し部５が構造物Ａにかかる折れ曲がりの状態でさつま差し部５がずれ動くと、さつま差しされたストランド３に引張り荷重が負荷されることになる。このとき、ストランド３の端末に嵌合したスリーブ６がさつま差し部５のストランド３に当接して抜け止めされ、その抜け止めされたスリーブ６の開口端に溶融結束部７が係合し、その係合によってストランド３は抜け止めされる。
【００２１】
このように、ストランド３の端末部にスリーブ６を嵌合し、ストランド３の端末に溶融結束部７を形成してスリーブ６を抜け止めすることによって、そのストランド３がさつま差し部５から抜け出すのを防止することができ、さつま差し部５に弛みが生じることがないので、墜落防止としての機能を常に確保し、安全性に優れた安全帯ランヤードを得ることができる。
【００２２】
図３（Ｉ）は、スリーブ６の他の例を示す。このスリーブ６は、ストランド３の端末部に嵌合される円筒部６ａと、その円筒部６ａの先端に設けられた円錐部６ｂとを有し、その円錐部６ｂと円筒部６ａの連設部位に周溝から成るカット部６ｃを設けている。
【００２３】
上記の構成から成るスリーブ６を解きほぐされた複数のストランド３のそれぞれの端末部に嵌合することにより、ストランド３の撚り合わせ間にスリーブ６をスムーズに挿入することができるため、ストランド３のさつま差しを容易に行なうことができる。
【００２４】
なお、ストランド３のさつま差しによるさつま差し部５の形成後は、カット部６ｃでの切断によって円錐部６ｂを除去し、円筒部６ａから突出するストランド３の端末を加熱溶融して円筒部６ａを抜け止めする溶融結束部７を形成する。
【００２５】
図４および図５は、繊維ロープ１の他の例を示す。この例では、ロープ本体２にロープ挿通孔１１を中心に有する樹脂製の結束具１０を嵌合し、その結束具１０のロープ挿通孔１１の周りにストランド３と同数のストランド挿通孔１２を等間隔に設け、各ストランド挿通孔１２にさつま差しされたストランド３の端末部を挿通し、各ストランド挿通孔１２から突出するストランド３の端末を加熱溶融してストランド挿通孔１２の内径より大径の溶融結束部７を設けている。
【００２６】
上記の構成から成る繊維ロープ１においては、さつま差しされたストランド３に引張り力が繰り返し負荷されると、ストランド挿通孔１２の開口に溶融結束部７が係合し、その係合によってストランド３は抜け止めされる。このため、さつま差し部５に弛みが生じることはなく、墜落防止としての機能を常に確保し、安全性に優れた繊維ロープを得ることができる。
【図面の簡単な説明】
【００２７】
【図１】この発明に係る繊維ロープを採用した安全帯ランヤードの正面図
【図２】繊維ロープの端末部を示す断面図
【図３】（Ｉ）はスリーブの他の例を示す正面図、（II）はスリーブの円錐部を切断して抜け止めした状態を示す断面図
【図４】繊維ロープの他の例を示す一部切欠正面図
【図５】図４のＶ−Ｖ線に沿った拡大断面図
【図６】従来の安全帯ランヤードを示す正面図
【図７】安全帯ランヤードの使用状態を示す斜視図
【符号の説明】
【００２８】
２      ロープ本体
３      ストランド
４      ループ
５      さつま差し部
６      スリーブ
６ｂ    円錐部
６ｃ    カット部
７      溶融結束部
１０    結束具
１１    ロープ挿通孔
１２    ストランド挿通孔
【図１】
2006336156.tif 000003
【図２】
2006336156.tif 000004
【図３】
2006336156.tif 000005
【図４】
2006336156.tif 000006
【図５】
2006336156.tif 000007
【図６】
2006336156.tif 000008
【図７】
2006336156.tif 000009